(57)【要約】      （修正有）【課題】ベール梱包に当て板として用いられる梱包用段ボールを補強するために、人手をかけてテープを貼る作業を省き、また使用後にテープをはがす作業なく再利用することができるベール梱包用段ボールを提供する。【解決手段】対向する２辺の縁部に、それぞれ少なくとも２枚の段ボールが重ねられた補強部が形成されている。【選択図】図１
0003172033.tif 000002
【実用新案登録請求の範囲】
【請求項１】
対向する２辺の縁部に、それぞれ少なくとも２枚の段ボールが重ねられた補強部が形成されていることを特徴とするベール梱包用段ボール。
【請求項２】
前記補強部は、前記ベール梱包用段ボールよりも幅の狭い補強用段ボールが重ねられて形成されている請求項１に記載のベール梱包用段ボール。
【請求項３】
前記補強部は、前記ベール梱包用段ボールの前記縁部が折り曲げられて形成されている請求項１に記載のベール梱包用段ボール。
【請求項４】
前記補強部は、前記本体部の前記縁部が丸められて形成されている請求項１に記載のベール梱包用段ボール。
【請求項５】
前記補強部の幅は１〜１５ｃｍである請求項１ないし４のいずれか１項に記載のベール梱包用段ボール。
【考案の詳細な説明】
【技術分野】
【０００１】
本考案は、梱包用段ボールに関し、特に、直方体形状に圧縮成形され金属線でくくられるベールの対向する２外面に当接して用いられるベール梱包用段ボールに関する。
【背景技術】
【０００２】
廃プラスチック製品や古紙は嵩高であるため、ばらばらであったものを圧縮してベールと呼ばれるブロック状に成形して運送や貯蔵、集積される。通常、ベールは直方体（立方体を含む）形状であり、金属線やひもなどを用いてばらけないようにくくられる。
【０００３】
岩綿は、ロックウールまたはミネラルファイバーとも呼ばれ、原料である高炉スラグや玄武岩などの岩石を溶融し、溶融物を遠心力で吹き飛ばし、空気中で固化させて細かい繊維状にするスピナー法や、空気または水蒸気により吹き飛ばす吹付法などにより綿状にした人造鉱物繊維であり、断熱材や吸音材として主に建築現場で広く用いられている。岩綿も古紙などと同様に嵩高であり、岩綿繊維を５〜２５ｍｍの粒状にした粒状綿を例えば工場から使用現場、あるいは岩綿製品を製造する工場まで運ぶ場合には、主に約１０〜３０ｋｇの袋入り、または約３００〜４００ｋｇのベールの荷姿で運搬され、あるいは貯蔵される。
【０００４】
岩綿の前記粒状綿の場合、ベールはその周囲を通常３〜５本の番線と呼ばれる鉄線（金属線）で平行にくくられる。そのベールを作る包装機械はベーラーと呼ばれ、新聞故紙や他の廃紙などの古紙、あるいは廃プラスチック製品を梱包する際にも用いられる。
【０００５】
岩綿の粒状綿は上記廃プラスチック製品や古紙に比べて材料の単位が小さいため、ベーラーで梱包する際にブロックを圧縮して番線でくくるだけでは運搬中にベールが崩れてしまうおそれがある。そこで荷崩れを防ぐために、直方体形状のベールのうち対向する２外面に段ボールで当て板をした上で前記番線でくくる方法が採用されており（例えば、特許文献１）、この方法によりベール運搬時の荷崩れはほぼ防止できる。なお、当て板は段ボールに限られず板紙など他の紙材を用いることもあるが、岩綿の粒状綿のベールでは主に段ボールが用いられる。
【０００６】
一方、ベール作成時には岩綿の粒状綿を番線でかなり強くくくるため、当て板とする段ボールの縁部が破れることが頻繁に起こる。これを放置しておくとベールの荷崩れにつながるため、破れを防ぐために段ボールの縁部にビニル製の補強用テープ７（以下テープという。）などを貼って補強して当て板とされており（図７）、この補強方法により番線をくくることによる段ボール縁部の破れは解消されている。
【先行技術文献】
【特許文献】
【０００７】
【特許文献１】特開平６−１７９４１８号公報
【考案の概要】
【考案が解決しようとする課題】
【０００８】
このテープを貼る作業は、段ボールの縁部を覆うように貼らなければならないため、位置の調整が必要で、煩雑で手間のかかる作業である。
さらに、岩綿製品を製造する工場ではベールを解体して岩綿の粒状綿を使用し、番線と段ボールは回収され再利用される。段ボールは回収された後、パルパーにおいて水と一緒に強く攪拌されて溶解してパルプとなり、段ボールなどに再利用されるが、その際に、前記したようにテープが貼ってあると段ボール溶解の妨げとなったり、溶解したパルプ内にごみとして存在して、攪拌機の羽根やシャフトに絡みつき、またはポンプやストレーナを詰まらせる原因となるため、できるだけテープを除いた状態で段ボールを再利用する必要がある。そこで、通常は人手をかけて、段ボールからテープをはがしているが、その作業ははなはだ煩雑であり、手間のかかる作業であるとともに、テープが大量のごみとなり、その処理も必要となる。
【０００９】
なお、段ボールにテープを貼る作業は機械化が可能であるが、岩綿の粒状綿使用後のテープ処理に関わる上記問題は解決されない。
【００１０】
上記特許文献１にはベーラー梱包機が開示されているが、番線による段ボールの縁部の破れ、および縁部を補強する方法について開示していない。
【００１１】
そこで、本考案は上記課題を解決するものであり、当て板とする段ボールに人手をかけて、テープを貼り、後でそのテープをはがす作業を省くことができ、ベールの梱包を容易に行うことができるとともに、梱包に用いられる段ボールを効率よく再利用することができるベール梱包用段ボールを提供することを目的とする。
【課題を解決するための手段】
【００１２】
本考案は、対向する２辺の縁部に、それぞれ少なくとも２枚の段ボールが重ねられた補強部が形成されていることを特徴とするベール梱包用段ボールである。
【００１３】
本考案によれば、ベール梱包用段ボールの対向する２辺に段ボールを重ねた補強部を有するため、テープで補強する必要がなく、したがって段ボールの再利用時にテープをはがす手間がなく、また段ボールの溶解が容易である。本考案によれば、補強部を段ボールで形成しているため、補強のために追加の資材を用いることがなく、また補強部を形成したベール梱包用段ボールをベーラーに供給すればよいので、従来のベーラーをそのまま使用できる。
【００１４】
前記補強部は、ベール梱包用段ボールよりも幅の狭い補強用段ボールが重ねられて形成されていてもよい。前記ベール梱包用段ボールの縁部が折り曲げられ、または丸められて形成されているものであってもよい。また、前記補強部の幅は１〜１５ｃｍであることが好ましい。
【考案の効果】
【００１５】
本考案によれば、ベール梱包用段ボールの縁部に補強部を有しているため、補強のために縁部にテープを貼る必要がなく、テープを貼る作業を省くことができ、ベール形成時の工程を簡略なものとすることができる。また、岩綿使用後にテープをはがす作業も不要である。前記補強部は段ボールで形成されているため、段ボールを再利用する際にそのまま溶解できてテープがごみとならないため、テープの廃棄処理が不要であり、また段ボール溶解時にテープが溶解の妨げとなることがない。
【００１６】
本考案では、ベール梱包用段ボールの製造時、ベーラー供給前、またはベーラーで梱包する際に前記のような補強部を形成しておくことで、ベール梱包用段ボールの縁部の破れを効果的に防ぐことができる。よって、ベーラーにおいて段ボールを人手で供給する場合には、供給する段ボールが異なるだけであって工程になんら変わりはなく、あるいは段ボールが自動供給される場合には、段ボールの供給箇所の形状を少々改造すればよいので、従来のベーラー装置をそのまま使用することができる。
【図面の簡単な説明】
【００１７】
【図１】本考案のベール梱包用段ボールを使用したベールの一例を表す図である。
【図２】本考案の第１の実施の形態を示すベール梱包用段ボールを示す図である。左図は全体を示す斜視図であり、右図は左図の点線部における断面図である。
【図３】本考案の第２の実施の形態を示すベール梱包用段ボールを示す図である。左図は全体を示す斜視図であり、右図は左図の点線部における断面図である。
【図４】本考案の第３の実施の形態を示すベール梱包用段ボールを示す図である。左図は全体を示す斜視図であり、右図は左図の点線部における断面図である。
【図５】本考案の第４の実施の形態を示すベール梱包用段ボールを示す図である。左図は全体を示す斜視図であり、右図は左図の点線部における断面図である。
【図６】本考案の第５の実施の形態を示すベール梱包用段ボールを示す図である。左図は全体を示す斜視図であり、右図は左図の点線部における断面図である。
【図７】従来のベール梱包用段ボールを使用したベールの一例を表す図である。
【考案を実施するための形態】
【００１８】
以下、本考案の好ましい実施の形態を、図面を参照しながら説明する。
図１に、本考案のベール梱包用段ボールを使用したベールの一例を示す。図１のベールは岩綿を圧縮しているが、ベールを形成する被梱包物は岩綿に限らず、新聞故紙や廃紙など、ベールで運搬、貯蔵される他の材料でもよい。本実施の形態では、図１に示すように、ベールは特に岩綿で形成されるものとして記載する。
【００１９】
図１に示すように、岩綿２は直方体形状に圧縮されて、ベール１が形成される。岩綿はおおよそ３００〜５００ｋｇの粒状綿が圧縮されてベール１を形成する。ベールの６面のうち、対向する２面の外側に本考案の段ボール３が当接され、前記段ボール３の上からベールが金属線４でくくられる。段ボール３が対向する２つの外面に当接されることにより、運搬時などにベールが荷崩れするのを防いでいる。前記金属線は、番線と呼ばれる鉄線や銅線でもよく、あるいは梱包用ビニルひもなどひも状のものを用いることもできるが、耐久性などから番線が好ましい。ベールの大きさにもよるが、金属線４は３〜５本が１７〜３５ｃｍの間隔を空けて平行にくくられる。
【００２０】
本考案のベール梱包用段ボールは、対向する２つの辺の縁部に補強部５がそれぞれ形成されており、前記補強部および縁部を横切るように金属線４が配置され、岩綿を梱包したベールが形成される。前記補強部５は、少なくとも２枚の段ボールが重ねられて形成されている。例えば、ベール梱包用段ボールより幅の狭い補強用段ボールを重ねる、あるいはベール梱包用段ボールの縁部を折り曲げて重ねる、あるいは丸めて形成される。
【００２１】
図２に本考案の第１の実施形態を示す。左図はベール梱包用段ボール３全体の斜視図、右図は左図における断面を矢印の方向から見た断面図を示す。第１の実施形態では、ベール梱包用段ボール３の左右縁部に補強部５が設けられており、ベールを梱包する際には、金属線４がこの左右縁部の上に配置されるようにベール梱包用段ボール３がベール１の外面に当接される。前記補強部５は、ベール梱包用段ボール３に、ベール梱包用段ボール３より幅の狭い補強用段ボール６が少なくとも１枚重ねられている。前記補強用段ボール６の幅は１〜１５ｃｍ、より好ましくは１〜５ｃｍである。この補強用段ボール６はベール梱包用段ボール３と同じ段ボールの幅を狭くしたものでもよい。また、補強用段ボール６はベール梱包用段ボール３と異なる材質の段ボールでもよく、例えば、ベール梱包用段ボール３より強度の高い段ボールを用いればさらに補強効果を高いものとすることができる。また補強用段ボール６の材質は段ボールに限らず板紙など他の紙材でもよいが、ベール梱包用段ボール３を効率よく再利用し、かつ再利用の妨げにならないよう同じ材質である段ボールとすることが好ましい。
【００２２】
図２の左図に示すように、前記補強用段ボール６はベール梱包用段ボール３の縦方向の全長にわたって重ねられているが、それより短くてもよい。ただし短い場合には、少なくとも金属線４が配置される位置に重ねられている必要がある。また、ベール梱包用段ボール３の縁部と前記補強用段ボール６の縁部がそろうように、前記補強用段ボール６が重ねられることが好ましい。前記補強用段ボール６は、少なくとも１枚重ねられていればよく、２枚あるいはそれ以上でもよい。ただし、あまり多くても段ボールのむだとなるため１〜４枚が適当である。図２では補強用段ボール６を２枚重ねている。
【００２３】
段ボールは、波状に加工した紙が２枚の紙の間に挟まれており、この波状の山および谷が延びる方向により強度や折り曲げ特性などが異なるが、第１の実施形態では、前記山や谷が延びる方向が図２の左図に示すベール梱包用段ボール３および補強用段ボール６の縦方向、横方向のいずれでもよく、あるいは斜め方向でもよい。
【００２４】
前記補強部５では、ベール梱包用段ボール３と補強用段ボール６、および補強用段ボール６どうしが少なくとも一部で接着されて固定されていることが好ましい。補強用段ボール６が補強部５で固定されていれば、ベール梱包用段ボール３でベールを梱包するまで補強用段ボール６を手などで押さえておく必要がないため梱包作業が容易となる。ベール梱包用段ボール３がベールの外面に当てられて金属線でくくられた後は、岩綿を使用するまで前記補強用段ボール６がはがれることはないので、前記接着剤はベール梱包用段ボール３が梱包に用いられるまで補強用段ボール６を固定しておく程度の接着力でよい。補強用段ボール６を固定する接着剤はホットメルト接着剤、あるいはでんぷんのりやＰＶＡなどの水溶性接着剤を用いることが好ましい。
【００２５】
前記ベール梱包用段ボール３で梱包したベール１において、補強部５は両縁部の金属線が配置される位置に形成されていればよいので、ベール１の外面に当てられた際に、補強用段ボール６がベール梱包用段ボール３の外側になるように重ねられていてもよく、逆に補強用段ボール６がベール梱包用段ボール３の内側、すなわちベール１とベール梱包用段ボール３の間に重ねられていてもよい。さらに、補強用段ボール６の重ねられる側が両縁部で異なり、補強用段ボール６はベール梱包用段ボール３の一方の縁部でベール梱包用段ボール３の内側に重ねられ、他方の縁部でベール梱包用段ボール３の外側に重ねられてもよい。
【００２６】
図３〜５に本考案の第２〜４の実施形態を示す。各図において、左図はベール梱包用段ボール３全体の斜視図、右図は左図における断面を矢印の方向から見た断面図を示す。第２〜４の実施形態では、ベール梱包用段ボール３の左右縁部に補強部５が設けられており、この補強部５の形態が前記第１の実施形態と異なるが他は同じである。すなわち、第２〜４の実施形態では補強部５がベール梱包用段ボール３の縁部を少なくとも１回折り曲げて、または丸めて形成されている。
【００２７】
図３に示す第２の実施形態では、ベール梱包用段ボール３の左右縁部をそれぞれ１回折り曲げて２重にした前記補強部５が形成されている。この折り曲げ幅は１〜１５ｃｍ、より好ましくは１〜５ｃｍである。
【００２８】
図４に示す第３の実施形態では、ベール梱包用段ボール３の左右縁部をそれぞれ２回折り込んで、ベール梱包用段ボールの縁部を３重にして補強部５が形成されている。この折り曲げ幅も１〜１５ｃｍ、より好ましくは１〜５ｃｍである。
【００２９】
図５に示す第４の実施形態では、第３の実施形態と同様にベール梱包用段ボール３の左右縁部をそれぞれ２回折り込んでいるが、段ボールの厚みを考慮し、山折り部が丸みを帯びずほぼ直角となるように補強部５が形成されている。
【００３０】
第２〜４の実施形態では、ベール梱包用段ボール３の縁部を折り曲げてベール梱包用段ボールが２重または３重になるようにして前記補強部５が形成されているが、ベール梱包用段ボール３を多く重ねるほど、ベール梱包用段ボール３の縁部の破れを防ぐ効果が高い。ただし、折り曲げ回数がそれより多すぎても、その分ベール梱包用段ボール３の幅が必要となり材料費がかさむため、ベール梱包用段ボール３が２〜３重となるように縁部を折り曲げるのが適当である。
【００３１】
第２〜４の実施形態においても、第１の実施形態と同様、段ボールの波状の山および谷が延びる方向は、図３〜５の各左図において縦方向、横方向のいずれでもよく、あるいは斜め方向でもよい。また、ベール梱包用段ボール３の折り曲げた部分どうしを接着して固定しておくことが好ましい。これにより、ベール梱包用段ボール３自身の力で折り曲げ部が元に戻ることを防ぎ梱包作業が容易となる。接着に用いる接着剤は、ベール梱包用段ボール３が梱包に用いられるまで補強部５を固定しておく程度の接着力でよく、ホットメルト接着剤、あるいはでんぷんのりやＰＶＡなどの水溶性接着剤であることが好ましい。
【００３２】
前記ベール梱包用段ボール３で梱包したベール１において、ベール梱包用段ボール３の外側になるようにベール梱包用段ボール３が折り曲げられて補強部５が形成されてもよく、反対にベール梱包用段ボール３の内側、すなわちベール１とベール梱包用段ボール３の間になるようにベール梱包用段ボール３が折り曲げられ重ねられてもよい。さらに、ベール梱包用段ボール３が折り曲げられて重ねられる側が両縁部で異なり、ベール梱包用段ボール３の一方の縁部でベール梱包用段ボール３の内側に折り曲げられ、他方の縁部でベール梱包用段ボール３の外側に折り曲げられてもよい。
【００３３】
図６に本考案の第５の実施形態を示す。左図はベール梱包用段ボール３全体の斜視図、右図は左図における断面を矢印の方向から見た断面図を示す。第５の実施形態では、補強部５がベール梱包用段ボール３の左右縁部を丸めて形成されている点が第２〜４の実施形態と異なり、他は同じである。この補強部の幅は１〜１５ｃｍ、より好ましくは１〜５ｃｍである。
【００３４】
第５の実施形態では、補強部５において縁部が２重または３重となるようベール梱包用段ボール３が丸められている。ベール梱包用段ボールの丸められた部分どうしは接着剤で固定されていてもよい。ベール１の外面に当てられた際に、丸められた部分がベール梱包用段ボール３のベールの外側になるように丸められてもよく、ベール１とベール梱包用段ボール３の間になるように丸められてもよく、さらにはベール梱包用段ボール３の一方の縁部でベール梱包用段ボール３のベール側に丸められ、他方の縁部でベール梱包用段ボール３のベールの外側に丸められてもよい。
【００３５】
ベール梱包に用いられる当て板は主に段ボールであるが、ベール梱包用の当て板として板紙を用いる場合であっても、本考案のベール梱包用段ボールと同様に、両縁部に補強部が形成される板紙とすることで、板紙の破れを防ぐ効果を発揮し、容易に再利用可能なものとすることができる。
【産業上の利用可能性】
【００３６】
ベール梱包時に省資源化ができ、当て板を用いるベール梱包に適用可能である。
【符号の説明】
【００３７】
１    ベール
２    岩綿
３    ベール梱包用段ボール
４    金属線
５    補強部
６    補強用段ボール
７    補強用テープ
【図１】
0003172033.tif 000003
【図２】
0003172033.tif 000004
【図３】
0003172033.tif 000005
【図４】
0003172033.tif 000006
【図５】
0003172033.tif 000007
【図６】
0003172033.tif 000008
【図７】
0003172033.tif 000009